(57)【要約】【課題】ファンが所望のタイミングで所望のオッズ情報を簡単に取得できる公営競技におけるオッズ情報サービスシステムを提供する。【解決手段】上位システム１０に接続してオッズサーバ２０を設けると共に、オッズサーバ２０に接続して複数台のオッズ情報サービス端末３０を設け、各オッズ情報サービス端末３０において、ファンにより挿入される投票予定が記入された投票カード５１を読み取って、その読み取った記入内容をオッズサーバ２０に送信し、オッズサーバ２０において、上位システム１０から送信されるオッズ情報等のデータを更新しながら記憶すると共に、その記憶した最新のデータの中から上記記入内容に対応するオッズ情報を検索して、その検索したオッズ情報を含むサービス情報を対応するオッズ情報サービス端末３０に返信し、その返信されたサービス情報を当該オッズ情報サービス端末３０において表示する。【選択図】        図１
2004326184.tif 000002
【特許請求の範囲】
【請求項１】
上位システムに接続してオッズサーバを設けると共に、上記オッズサーバに接続して複数台のオッズ情報サービス端末を設け、
各オッズ情報サービス端末において、ファンにより挿入される投票予定が記入された投票カードを読み取って、その読み取った記入内容を上記オッズサーバに送信し、
上記オッズサーバにおいて、上記上位システムから送信されるオッズ情報等のデータを更新しながら記憶すると共に、その記憶した最新のデータの中から上記記入内容に対応するオッズ情報を検索して、その検索したオッズ情報を含むサービス情報を対応するオッズ情報サービス端末に返信し、
その返信されたサービス情報を当該オッズ情報サービス端末において表示することを特徴とする公営競技におけるオッズ情報サービスシステム。
【請求項２】
上記オッズサーバにおいて、上記記入内容に対応するオッズ情報の検索結果に基づいて上記投票カードの記入不備を判別し、
記入不備があるときは、その記入不備内容を対応するオッズ情報サービス端末に返信して表示することを特徴とする請求項１に記載のオッズ情報サービスシステム。
【請求項３】
上記オッズ情報サービス端末に表示されたサービス情報を、当該オッズ情報サービス端末においてファンの指示に応じて上記投票カードの裏面に印刷することを特徴とする請求項１または２に記載の公営競技におけるオッズ情報サービスシステム。
【請求項４】
請求項１〜３のいずれか一項に記載のオッズ情報サービスシステムに用いるオッズサーバであって、
上記上位システムとの通信および上記オッズ情報サービス端末との通信を制御する通信制御部と、
上記上位システムから送信されるオッズ情報等を記憶するデータ記憶部と、
上記オッズ情報サービス端末から送信される上記投票カードの記入内容に応じて、上記データ記憶部から対応するオッズ情報を検索するサーバ部と、
上記上位システムからのオッズ情報等のデータを上記通信制御部で受信して上記データ記憶部に更新しながら記憶すると共に、上記オッズ情報サービス端末からの上記記入内容を上記通信制御部で受信して、その受信した上記記入内容に対応するオッズ情報を上記サーバ部により上記データ記憶部に記憶されている最新のデータの中から検索し、その検索したオッズ情報を含むサービス情報を上記通信制御部を介して対応するオッズ情報サービス端末に返信するように上記各部の動作を制御するメイン制御部と、
を有することを特徴とする公営競技におけるオッズ情報サービスシステムに用いるオッズサーバ。
【請求項５】
請求項１〜３のいずれか一項に記載のオッズ情報サービスシステムに用いるオッズ情報サービス端末であって、
挿入される投票カードの記入内容を読み取る読み取り部と、
上記オッズサーバとの通信を制御する通信制御部と、
上記オッズサーバからのオッズ情報を含むサービス情報を表示する表示部と、
上記表示部に表示されたサービス情報を印字する印字部と、
上記印字部によるサービス情報の印字処理を選択する操作部とを有し、
上記読み取り部において読み取った上記投票カードの記入内容を上記通信制御部を介して上記オッズサーバに送信し、上記オッズサーバから返信されたオッズ情報を含むサービス情報を上記通信制御部で受信して、上記表示部に表示すると共に、上記操作部の操作に応じて上記印字部により上記投票カードの裏面に印刷するように上記各部の動作を制御するメイン制御部と、
を有することを特徴とする公営競技におけるオッズ情報サービスシステムに用いるオッズ情報サービス端末。
【発明の詳細な説明】
【０００１】
【発明の属する技術分野】
本発明は、競輪、競馬、競艇、オートレース等の公営競技におけるオッズ情報サービスシステム、およびそれに用いるオッズサーバ並びにオッズ情報サービス端末に関するものである。
【０００２】
【従来の技術】
従来、公営競技におけるオッズ情報は、公営競技場や場外発売所等に設置されたモニタに表示したり、あるいはオッズ情報出力装置からファンの操作により所望のレースのオッズ情報を印字して出力したりするものが知られている（例えば、特許文献１参照）。
【０００３】
【特許文献１】
特開平６−２９５３０５号公報
【０００４】
【発明が解決しようとする課題】
しかしながら、オッズ情報をモニタに表示するものにあっては、オッズ情報を一方的に表示するようにしているため、ファンは自分が求める情報を限られたタイミングでしか入手できないという問題がある。また、全てのレースのオッズ情報を、例えば画面分割するなどして順次表示するようにしているため、表示されるオッズ情報が多くなって、所望のオッズ情報を見つけるのに時間がかかるという問題もあり、特に最近では取り扱い賭け式の多様化に伴ってこの問題が顕著となっている。
【０００５】
これに対して、オッズ情報出力装置からオッズ情報を印字して出力するものにあっては、ファンが求める情報を任意のタイミングで得られる利点があるが、この従来のオッズ情報出力装置では、所望のレースにおける全ての賭け式のオッズ情報を出力するようにしているため、やはり所望のオッズ情報を見つけるのに時間がかかるという問題がある。また、オッズ情報を印字して出力することから、出力用紙等の消耗品が多くなり、サービス提供にコストがかかるという問題もある。
【０００６】
したがって、かかる点に鑑みてなされた本発明の目的は、ファンが所望のタイミングで所望のオッズ情報を簡単に取得できる公営競技におけるオッズ情報サービスシステム、およびそれに用いるオッズサーバ並びにオッズ情報サービス端末を提供することにある。
【０００７】
【課題を解決するための手段】
上記目的を達成する請求項１に係る公営競技におけるオッズ情報サービスシステムの発明は、上位システムに接続してオッズサーバを設けると共に、上記オッズサーバに接続して複数台のオッズ情報サービス端末を設け、
各オッズ情報サービス端末において、ファンにより挿入される投票予定が記入された投票カードを読み取って、その読み取った記入内容を上記オッズサーバに送信し、
上記オッズサーバにおいて、上記上位システムから送信されるオッズ情報等のデータを更新しながら記憶すると共に、その記憶した最新のデータの中から上記記入内容に対応するオッズ情報を検索して、その検索したオッズ情報を含むサービス情報を対応するオッズ情報サービス端末に返信し、
その返信されたサービス情報を当該オッズ情報サービス端末において表示することを特徴とするものである。
【０００８】
請求項１に係る発明によると、投票券を購入する際に用いる投票カードに所望の投票予定を記入し、その投票カードを任意のタイミングでオッズ情報サービス端末に挿入することにより、記入内容に対応するオッズ情報を含むサービス情報が表示されるので、ファンは所望のタイミングで所望のオッズ情報を簡単に取得することが可能となる。
【０００９】
請求項２に係る発明は、請求項１に記載のオッズ情報サービスシステムにおいて、上記オッズサーバにおいて、上記記入内容に対応するオッズ情報の検索結果に基づいて上記投票カードの記入不備を判別し、
記入不備があるときは、その記入不備内容を対応するオッズ情報サービス端末に返信して表示することを特徴とするものである。
【００１０】
請求項２に係る発明によると、投票カードに記入不備があると、その内容がオッズ情報サービス端末に表示されることから、ファンは記入不備を容易に認識できるので、その記入不備を直ちに修正することが可能となる。したがって、その後、当該投票カードを用いて投票券を購入する際に、記入不備による投票窓口での投票カード修正作業等の時間的ロスを未然に防ぐことができるので、投票窓口の稼動効率の向上が期待される。
【００１１】
請求項３に係る発明は、請求項１または２に記載の公営競技におけるオッズ情報サービスシステムにおいて、上記オッズ情報サービス端末に表示されたサービス情報を、当該オッズ情報サービス端末においてファンの指示に応じて上記投票カードの裏面に印刷することを特徴とするものである。
【００１２】
請求項３に係る発明によると、オッズ情報サービス端末に表示されたサービス情報を印刷する場合には、そのサービス情報が、挿入された投票カードの裏面に印刷されるので、専用の出力用紙が不要となり、サービス提供のコストダウンが図れる。
【００１３】
また、請求項４に係る発明は、請求項１〜３のいずれか一項に記載のオッズ情報サービスシステムに用いるオッズサーバであって、
上記上位システムとの通信および上記オッズ情報サービス端末との通信を制御する通信制御部と、
上記上位システムから送信されるオッズ情報等を記憶するデータ記憶部と、
上記オッズ情報サービス端末から送信される上記投票カードの記入内容に応じて、上記データ記憶部から対応するオッズ情報を検索するサーバ部と、
上記上位システムからのオッズ情報等のデータを上記通信制御部で受信して上記データ記憶部に更新しながら記憶すると共に、上記オッズ情報サービス端末からの上記記入内容を上記通信制御部で受信して、その受信した上記記入内容に対応するオッズ情報を上記サーバ部により上記データ記憶部に記憶されている最新のデータの中から検索し、その検索したオッズ情報を含むサービス情報を上記通信制御部を介して対応するオッズ情報サービス端末に返信するように上記各部の動作を制御するメイン制御部と、
を有することを特徴とするものである。
【００１４】
請求項４に係る発明によると、例えば従来の投票券発券機を改良することで、簡単かつ安価に構成することが可能となる。
【００１５】
さらに、請求項５に係る発明は、請求項１〜３のいずれか一項に記載のオッズ情報サービスシステムに用いるオッズ情報サービス端末であって、
挿入される投票カードの記入内容を読み取る読み取り部と、
上記オッズサーバとの通信を制御する通信制御部と、
上記オッズサーバからのオッズ情報を含むサービス情報を表示する表示部と、
上記表示部に表示されたサービス情報を印字する印字部と、
上記印字部によるサービス情報の印字処理を選択する操作部とを有し、
上記読み取り部において読み取った上記投票カードの記入内容を上記通信制御部を介して上記オッズサーバに送信し、上記オッズサーバから返信されたオッズ情報を含むサービス情報を上記通信制御部で受信して、上記表示部に表示すると共に、上記操作部の操作に応じて上記印字部により上記投票カードの裏面に印刷するように上記各部の動作を制御するメイン制御部と、
を有することを特徴とするものである。
【００１６】
請求項５に係る発明によると、例えば上記のオッズサーバと同様に従来の投票券発券機を改良することで、簡単かつ安価に構成することが可能となる。
【００１７】
【発明の実施の形態】
以下、本発明の一実施の形態について、図面を参照して説明する。
【００１８】
図１は、本発明の一実施の形態を示す公営競技におけるオッズ情報サービスシステムの構成図である。本実施の形態では、上位システムであるトータリゼータシステム（ＴＺＳ）１０にオンライン接続してオッズサーバ２０を設けると共に、このオッズサーバ２０にＬＡＮあるいはシリアル接続して複数台のオッズ情報サービス端末３０を設ける。
【００１９】
オッズサーバ２０には、図２に示すように、バスライン２１に接続して、通信制御部２２、データ記憶部２３、サーバ部２４、およびそれらの動作を制御するメイン制御部２５を設け、メイン制御部２５の制御のもとに、上位システム１０から送信されるオッズ情報等のデータを通信制御部２２で受信してデータ記憶部２３に更新しながら記憶すると共に、オッズ情報サービス端末３０から送信される後述する投票カード５１の記入内容を表わす問い合わせ電文を通信制御部２２で受信して、その受信した電文に対応するオッズ情報を含むサービス情報を、サーバ部２４によりデータ記憶部２３に記憶されている最新のデータの中から検索し、その検索したサービス情報を通信制御部２２を介して対応するオッズ情報サービス端末３０に返信するように構成する。
【００２０】
また、各オッズ情報サービス端末３０には、図３に示すように、バスライン３１に接続して、読み取り部３２、通信制御部３３、表示部および操作部を構成するタッチパネル３４、印字部３５、およびそれらの動作を制御するメイン制御部３６を設ける。読み取り部３２は、図４に示すような投票券購入用の投票カード５１を挿脱可能として、当該投票カード５１の記入内容を読み取るように構成する。また、印字部３５は、例えばリボンタイプの印字ユニットを用いて構成する。
【００２１】
このようにして、メイン制御部３６の制御のもとに、読み取り部３２において読み取った投票カード５１の記入内容を表わす問い合わせ電文を通信制御部３３を介してオッズサーバ２０に送信し、オッズサーバ２０から返信されたサービス情報等を通信制御部３３で受信して、タッチパネル３４に表示すると共に、タッチパネル３４の操作に応じて印字部３５により投票カード５１の裏面に印刷するように構成する。
【００２２】
以下、本実施の形態の動作を、競輪の場合を例にとって、図５〜図８を参照しながら更に詳細に説明する。なお、図５はフローチャート、図６はサービス情報の表示例、図７はサービス情報の印刷例、図８は記入不備の場合の表示例をそれぞれ示している。
【００２３】
図５に示すように、先ずファンにおいて、所望の投票予定を記入した投票カード５１を、任意のオッズ情報サービス端末３０の読み取り部３２に挿入する（ステップＳ１）。投票カード５１が挿入されたら、その投票カード５１を読み取り部３２で読み取って、その記入内容を表わす問い合わせ電文をオッズサーバ２０に送信する（ステップＳ２）。なお、ここでは、投票カード５１に記入された投票予定内容が、図４に示したように、１レース、３連単で、１−２−３が１０００円、４−２−３が１０００円で、６−２−３の１０００円は取り消されているものとする。
【００２４】
オッズサーバ２０では、オッズ情報サービス端末３０からの問い合わせ電文に応じて、データ記憶部２３に記憶されている最新のデータの中から対応するオッズ情報を検索し（ステップＳ３）、その検索結果に基づいて、オッズ情報サービス端末３０において読み取られた投票カード５１に記入不備があるか否かを判別する（ステップＳ４）。
【００２５】
ここで、記入不備がない場合（Ｙｅｓの場合）には、検索したオッズ情報を含むサービス情報、ここではオッズ情報、検索日付、時刻、検索時人気順情報を含むサービス情報（ここでは上記の全てを含む情報）を、オッズ情報サービス端末３０に返信して、そのタッチパネル３４に図６に示すように表示する（ステップＳ５）。
【００２６】
その後、オッズ情報サービス端末３０では、図６に示すタッチパネル３４上のおわりボタン３７が押下されたか否かを判断する（ステップＳ６）と共に、印刷ボタン３８が押下されたか否かを判断し（ステップＳ７）、ステップＳ６でおわりボタン３７が押下されたとき（Ｙｅｓのとき）は、サービス情報の表示を終了し、投票カード５１をファンに返却するために読み取り部３２から投票カード５１を排出して（ステップＳ８）、処理を終了する。すなわち、この場合には、挿入された投票カード５１を、その裏面にサービス情報を印刷することなく、そのまま返却する。
【００２７】
これに対し、ステップＳ７で印刷ボタン３８が押下されたとき（Ｙｅｓのとき）は、タッチパネル３４に表示されているサービス情報の内容を、印字部３５により投票カード５１の裏面に、例えば図７に示すように印刷し（ステップＳ９）、その後、ステップＳ８に移行して投票カード５１を返却する。
【００２８】
一方、ステップＳ４で記入不備があると判断された場合（Ｎｏの場合）には、その記入不備の内容をオッズ情報サービス端末３０に返信して、そのタッチパネル３４に、例えば図８に示すように、読み取った投票予定内容と共に、記入不備の修正を促す説明文を表示し（ステップＳ１０）、その後、ステップＳ８に移行して投票カード５１を返却する。なお、図８は、図４において６−２−３の組番の取消欄にマークがされていなかった場合の表示例を示している。
【００２９】
このように、本実施の形態によれば、所望の投票予定を記入した投票カード５１を任意のタイミングでオッズ情報サービス端末３０の読み取り部３２に挿入することにより、該オッズ情報サービス端末３０のタッチパネル３４に記入内容に対応するオッズ情報を含むサービス情報が表示され、しかもその表示内容をファンの指示により投票カード５１の裏面に選択的に印刷することができるので、ファンは所望のタイミングで所望のオッズ情報を簡単に取得することができると共に、印刷用の専用の出力用紙が不要となるので、サービス提供のコストダウンを図ることができる。
【００３０】
また、読み取った投票カード５１に記入不備があった場合には、その内容がオッズ情報サービス端末３０のタッチパネル３４に表示されるので、ファンは記入不備を容易に認識でき、直ちに修正することができる。したがって、その後、当該投票カード５１を用いて投票券を購入する際に、記入不備による投票窓口での投票カード修正作業等の時間的ロスを未然に防ぐことができるので、投票窓口の稼動効率を向上することができる。
【００３１】
さらに、オッズサーバ２０やオッズ情報サービス端末３０は、従来の投票券発券機を改良することで、簡単かつ安価にできるので、システム全体を安価に構築することができる。
【００３２】
なお、本発明は、上記実施の形態にのみ限定されるものではなく、幾多の変更または変形が可能である。例えば、オッズ情報サービス端末３０では、タッチパネル３４により表示部および操作部を構成したが、これらを独立して設けることもできる。また、オッズ情報サービス端末３０の印字部３５は、リボンタイプに限らず、インクジェット、レーザ等、投票カード５１の裏面に印刷できる任意のタイプのものを用いて構成することができる。さらに、オッズサーバ２０からオッズ情報サービス端末３０に返信するサービス情報は、オッズ情報のみとすることもできるし、少なくともオッズ情報を含む任意の情報とすることもできる。
【００３３】
【発明の効果】
以上のように、本発明の公営競技におけるオッズ情報サービスシステムによれば、所望の投票予定を記入した投票カードをオッズ情報サービス端末に挿入することにより、投票カードに記入されている内容に対応するオッズ情報をオッズサーバで検索して、その検索したオッズ情報を含むサービス情報を当該オッズ情報サービス端末に表示するようにしたので、ファンにおいて所望のタイミングで所望のオッズ情報を簡単に取得することができる。
【図面の簡単な説明】
【図１】本発明の一実施の形態を示す公営競技におけるオッズ情報サービスシステムの構成図である。
【図２】図１に示すオッズサーバの要部の構成を示すブロック図である。
【図３】同じく、オッズ情報サービス端末の要部の構成を示すブロック図である。
【図４】投票カードの一例を示す図である。
【図５】図１に示す実施の形態の動作を説明するフローチャートである。
【図６】同じく、サービス情報の表示例を示す図である。
【図７】同じく、サービス情報の印刷例を示す図である。
【図８】同じく、記入不備の場合の表示例を示す図である。
【符号の説明】
１０  トータリゼータシステム（ＴＺＳ）
２０  オッズサーバ
２１  バスライン
２２  通信制御部
２３  データ記憶部
２４  サーバ部
２５  メイン制御部
３０  オッズ情報サービス端末
３１  バスライン
３２  読み取り部
３３  通信制御部
３４  タッチパネル
３５  印字部
３６  メイン制御部
３７  おわりボタン
３８  印刷ボタン
５１  投票カード
【図１】
2004326184.tif 000003
【図２】
2004326184.tif 000004
【図３】
2004326184.tif 000005
【図４】
2004326184.tif 000006
【図５】
2004326184.tif 000007
【図６】
2004326184.tif 000008
【図７】
2004326184.tif 000009
【図８】
2004326184.tif 000010